(57)【要約】【課題】天井面などの取付面における日焼け痕が目立つのを抑制することができ、また、直付け照明器具の小型化を図ることができる、照明装置、およびこれに用いられる化粧板を提供する。【解決手段】前面５ｂに蛍光ランプ６が取付けられる器具本体５と、器具本体５の背面５ｃから突出するアダプタ４とを有し、アダプタ４が天井面９０に設置された引掛けシーリング９１に取付けられる直付け照明器具２と、アダプタ４を挿通する貫通孔３ａを有し、直付け照明器具２と天井面９０との隙間に配置される化粧板３とを備えている。化粧板３が、貫通孔３ａを通じてアダプタ４に挿抜自在であることにより、化粧板３が直付け照明器具２に着脱自在であると共に、直付け照明器具２に取付けられた状態において、化粧板３の外縁３ａが直付け照明器具２の外縁７ａよりも外側にあるように構成した。【選択図】図２
2011171146.tif 000002
【特許請求の範囲】
【請求項１】
前面に光源が取付けられるべき装着部と、前記装着部の背面から突出するアダプタとを有し、前記アダプタが天井面や壁面等の取付面に設置された固定器具に取付けられる直付け照明器具と、
前記アダプタを挿通する貫通孔を有し、前記直付け照明器具と前記取付面との隙間に配置される化粧板とを備え、
前記化粧板が、前記貫通孔を通じて前記アダプタに挿抜自在であることにより前記直付け照明器具に対して着脱自在であると共に、前記直付け照明器具に取付けられた状態において、前記化粧板の外縁が前記直付け照明器具の外縁よりも外側にある
ことを特徴とする照明装置。
【請求項２】
前記アダプタは、樽形をしていて、前記装着部の背面に対して着脱自在であり、アダプタの周面に出没自在な複数の爪が設けられ、
各爪が、出状態において前記化粧板を支える
ことを特徴とする請求項１に記載の照明装置。
【請求項３】
前記アダプタ内に、前記各爪を出状態に付勢するバネ部材が設けられ、
前記各爪の前記装着部側の面が、爪先にいくにつれて前記装着部から離れるように傾斜する傾斜面であり、
前記化粧板の貫通孔の孔径が、出状態の各爪の爪先をアダプタの周方向に結んで形成される仮想円の直径よりも小さく、かつ没状態の各爪の爪先を前記周方向に結んで形成される仮想円の直径よりも大きい
ことを特徴とする請求項２に記載の照明装置。
【請求項４】
前記化粧板の一方の面に、前記貫通孔に沿って形成された環状リング部が設けられ、
前記環状リング部の内周面に出状態の各爪を嵌め込む凹部が形成されている
ことを特徴とする請求項３に記載の照明装置。
【請求項５】
前記化粧板が、貫通孔が設けられた中心部と、当該中心部の周りに設けられた湾曲部とを有する皿状であり、かつ弾性変形可能であって、
非変形時における化粧板の高さを、前記装着部の背面からの前記アダプタの突出高さよりも高くした
ことを特徴とする請求項１に記載の照明装置。
【請求項６】
前記装着部の背面に、前記化粧板を載せる台が設けられ、
前記化粧板の一方の面に、前記台の上端部を嵌め込む凹部が形成されている
ことを特徴とする請求項１に記載の照明装置。
【請求項７】
前記装着部の背面に、前記化粧板を前記背面から離れる方向に付勢する弾性部材が設けられており、
前記弾性部材の高さを、前記背面からの前記アダプタの突出高さよりも高くした
ことを特徴とする請求項１に記載の照明装置。
【請求項８】
前記化粧板の一方の面に、光反射面が形成されている
ことを特徴とする請求項１に記載の照明装置。
【請求項９】
前記化粧板に、たわみ防止用のリブが形成されている
ことを特徴とする請求項１に記載の照明装置。
【請求項１０】
前面に光源が取付けられるべき装着部と、前記装着部の背面から突出するアダプタとを有し、前記アダプタが天井面や壁面等の取付面に設置された固定器具に取付けられる直付け照明器具に対して、取付けられる板状部材からなる化粧板であって、
前記板状部材は、前記アダプタを挿通する貫通孔を有し、
前記貫通孔を通じて前記アダプタに挿抜自在であることにより、前記板状部材が前記直付け照明器具に対して着脱自在であると共に、前記直付け照明器具に取付けられた状態において、前記板状部材の外縁が前記直付け照明器具の外縁よりも外側にある
ことを特徴とする化粧板。
【請求項１１】
前記板状部材の一方の面に、光反射面が形成されている
ことを特徴とする請求項１０に記載の化粧板。
【請求項１２】
前記板状部材に、たわみ防止用のリブが形成されている
ことを特徴とする請求項１０に記載の化粧板。
【請求項１３】
請求項２に記載の照明装置を前記取付面に取付ける取付方法であって、
前記装着部に対して脱状態のアダプタを、前記取付面の固定器具に取付ける第１の工程と、
前記固定器具に取付けられたアダプタに前記貫通孔を挿通することにより、前記化粧板を前記アダプタに取付ける第２の工程と、
前記化粧板が取付けられたアダプタに、前記装着部を取付ける第３の工程とを備え、
前記第２の工程において、
前記アダプタの各爪を没状態にして、前記化粧板の貫通孔を前記アダプタに挿通し、
その後、前記各爪を出状態にすることにより、前記各爪で前記化粧板を支えるように取付ける
ことを特徴とする照明装置の取付方法。
【発明の詳細な説明】
【技術分野】
【０００１】
本発明は、天井面や壁面等の取付面に取付けられる直付け照明器具を備えた照明装置、これに用いられる化粧板、および照明器具の取付方法に関する。
【背景技術】
【０００２】
一般照明分野において、材料コストおよび運搬コストの削減の観点から、ランプが装着される照明器具の小型化の要請が高まっている。そこで、近年、例えば、蛍光ランプの照明器具においては、従来の環形蛍光ランプに代えて小型の渦巻状の蛍光ランプ（以下、渦巻形蛍光ランプという）を装着することにより小型化された照明器具が提案されている（特許文献１参照）。
【０００３】
特許文献１には、渦巻形蛍光ランプが装着される器具本体と、天井面に設置された配線器具（ローゼット）に取付けられる取付部（ソケット）とを有する直付け照明器具を備えた照明装置が記載されている。渦巻形蛍光ランプは、ランプを構成する発光管を一平面内で仮想軸の廻りを旋回するように形成されているので、従来の環形蛍光ランプと比べた場合に、同じ放電距離であればランプの最大外径が小さくなる。このようにランプが小さくなる分、ランプを装着する器具本体を小さくすることができ、照明器具の小型化を図ることができる。
【０００４】
照明器具の小型化が進めば、小さくなる分、手で持ち易くなって、取り扱い易くなるので、取り付け、取り外し作業が楽になる。特に天井面の直付け照明器具では、天井面に向かって両手を上げて作業する必要があるので、その効果が大きい。
【先行技術文献】
【特許文献】
【０００５】
【特許文献１】特許第４１７６８００号公報
【発明の概要】
【発明が解決しようとする課題】
【０００６】
ところで、天井面は長年の使用により日焼け等によって変色することがある。ただし、直付け照明器具で覆われていた領域だけは日焼けしない。そのため、上記特許文献１に記載の外径の小さな直付け照明器具を、既設の外径の大きな環形蛍光ランプの直付け照明器具に代えて取付けた場合、照明器具が小さくなる分だけ、日焼けしていない領域が露出するために日焼け痕が目立つという問題が生じる。なお、新築の建物に直付け照明器具を取付けるような場合には、このような日焼け痕の問題がないので、取り扱い易い小型の照明器具が望まれている。
【０００７】
本発明は、上記した課題に鑑み、天井面などの取付面における日焼け痕が目立つのを抑制することができ、また、直付け照明器具の小型化を図ることができる、照明装置、これに用いられる化粧板、および照明器具の取付方法を提供することを目的とする。
【課題を解決するための手段】
【０００８】
本発明に係る照明装置は、前面に光源が取付けられるべき装着部と、前記装着部の背面から突出するアダプタとを有し、前記アダプタが天井面や壁面等の取付面に設置された固定器具に取付けられる直付け照明器具と、前記アダプタを挿通する貫通孔を有し、前記直付け照明器具と前記取付面との隙間に配置される化粧板とを備え、前記化粧板が、前記貫通孔を通じて前記アダプタに挿抜自在であることにより前記直付け照明器具に対して着脱自在であると共に、前記直付け照明器具に取付けられた状態において、前記化粧板の外縁が前記直付け照明器具の外縁よりも外側にあることを特徴とする。
【０００９】
また、本発明に係る化粧板は、前面に光源が取付けられるべき装着部と、前記装着部の背面から突出するアダプタとを有し、前記アダプタが天井面や壁面等の取付面に設置された固定器具に取付けられる直付け照明器具に対して、取付けられる板状部材からなるものであって、前記板状部材は、前記アダプタを挿通する貫通孔を有し、前記貫通孔を通じて前記アダプタに挿抜自在であることにより、前記板状部材が前記直付け照明器具に対して着脱自在であると共に、前記直付け照明器具に取付けられた状態において、前記板状部材の外縁が前記直付け照明器具の外縁よりも外側にあることを特徴とする。
【００１０】
また、本発明に係る照明装置の取付方法は、前記照明装置を前記取付面に取付ける 方法であって、前記照明装置のアダプタが樽形をしていて、前記装着部の背面に対して着脱自在であり、アダプタの周面に出没自在な複数の爪が設けられ、各爪が、出状態において前記化粧板を支えるように構成されており、前記装着部に対して脱状態のアダプタを、前記取付面の固定器具に取付ける第１の工程と、前記固定器具に取付けられたアダプタに前記貫通孔を挿通することにより、前記化粧板を前記アダプタに取付ける第２の工程と、前記化粧板が取付けられたアダプタに、前記装着部を取付ける第３の工程とを備え、前記第２の工程において、前記アダプタの各爪を没状態して、前記化粧板の貫通孔を前記アダプタに挿通し、その後、前記各爪を出状態にすることにより、前記各爪で前記化粧板を支えるように取付けることを特徴とする。
【発明の効果】
【００１１】
上記構成の照明装置によれば、化粧板の外縁が、直付け照明器具の外縁よりも外側にあり、化粧板が直付け照明器具よりも外側に拡がっているので、取付面における直付け照明器具の周辺領域を、化粧板により覆うことができる。これにより、例えば、直付け照明器具を取換えた場合に、直付け照明器具周辺に日焼けしていない領域が露出したとしても、日焼けしていない領域の少なくとも一部を化粧板によって覆い隠すことができるので、化粧板を取付けていない場合と比べて、日焼け痕が目立つのを抑制することができる。
【００１２】
また、化粧板は、直付け照明器具に対して着脱自在であるので、化粧板を取付けるかどうかをユーザ自身で選択できる。したがって、例えば、新築の建物に照明装置を取付ける場合など、取付面に日焼け痕がないときには、直付け照明器具だけを取付けることができる。
このように化粧板で日焼け痕が目立つのを抑制する構成としたので、直付け照明器具の小型化を進めることができる。これにより、特に、取付面に日焼け痕がないときにおいて、化粧板を取付けない場合には、取り付け、取り外し作業が容易になる利点を享受することができる。
【００１３】
上記構成の化粧板によれば、上記照明装置と同等の効果を得ることができる。
上記構成の照明装置の取付方法によれば、貫通孔を通じて樽形のアダプタに挿通した化粧板を、アダプタの周面に設けられた各爪で支えるようにして取付けることができるので、直付け照明器具の周辺領域を覆うための化粧板を、取付面に直接接着剤や釘などで取付ける場合と比べて、取付け作業が容易であり、取付け作業の効率化が図れるとともに、上記照明装置と同等の効果を得ることができる。
【図面の簡単な説明】
【００１４】
【図１】本発明の第１の実施形態に係る照明装置を示す斜視図。
【図２】図１の照明装置の構造を説明するための分解斜視図。
【図３】化粧板とアダプタの模式平面図。
【図４】（ａ）は、取付け構造を示す模式断面図であり、（ｂ）は、化粧板の内周部を示す断面図、（ｃ）は、器具本体の内周部を示す断面図。
【図５】化粧板の取付け効果を説明する説明図。
【図６】第１の実施形態に係る照明装置の取付方法を説明するための説明図。
【図７】本発明の第２の実施形態に係る照明装置の構成を示す分解斜視図。
【図８】図７の照明装置が有する直付け照明器具の背面側の構成を示す斜視図。
【図９】アダプタと、直付け照明器具および化粧板との取付け構造を示す模式断面図。
【図１０】本発明の第３の実施形態に係る照明装置であって、（ａ）は、その照明装置の有する化粧板を示す斜視図であり、（ｂ）は、照明装置の構成を示す一部断面を含む側面図。
【図１１】本発明の第４の実施形態に係る照明装置であって、（ａ）は、照明装置の構成を示す側面図であり、（ｂ）は、照明装置の有する直付け照明器具に設けられた板バネの斜視図。
【図１２】本発明の変形例に係る化粧板を示す模式平面図および模式断面図。
【図１３】本発明の変形例に係る化粧板を示す模式平面図および模式断面図。
【図１４】本発明の変形例に係る化粧板を示す模式平面図および模式断面図。
【図１５】本発明の変形例に係る化粧板を示す模式平面図および模式断面図。
【図１６】本発明の変形例に係る照明装置の取付け構造を示す模式断面図。
【図１７】本発明の変形例に係る化粧板を示す斜視図。
【発明を実施するための形態】
【００１５】
本発明を実施するための形態を、図面を参照して詳細に説明する。
［第１の実施形態］
＜全体構成＞
図１は、第１の実施形態に係る照明装置１が天井面９０に取付けられた状態を示す斜視図であり、図２は、図１の照明装置１の構成を説明するための分解斜視図である。
【００１６】
図１に示すように、照明装置１は、天井面９０に取付けられた直付け照明器具２と、直付け照明器具２に取付けられ、天井面９０と直付け照明器具２との隙間に配された化粧板３とを有している。
直付け照明器具２は、図２に示すように、天井面９０に設けられた固定器具である引掛けシーリング９１に取付けられるアダプタ４と、前面５ｂに光源である蛍光ランプ６が取付けられる円板状の器具本体５と、器具本体５に取付けられ、蛍光ランプ６を覆うカバー７とを有している。本実施形態では、器具本体５が、光源が取付けられるべき装着部を構成している。
【００１７】
アダプタ４は、円筒状の樽形からなり、２つの栓刃４１と、各栓刃４１に電気的に接続された接続端子４２と、周面４ｂに設けられた、２つの第１爪４３および２つの第２爪４４とを有している。各栓刃４１を引掛けシーリング９１の栓刃挿入口９１ａに挿入して、アダプタ４を周方向に回転させることにより、アダプタ４が引掛けシーリング９１に取付けられる。各栓刃挿入口９１ａに挿入された栓刃４１は、引掛けシーリング９１内の屋内配線に電気的に接続される。
【００１８】
２つの第１爪４３は、周面４ｂにおいて互いに径方向の反対側の位置にあり、周面４ｂの下端側に配されている。２つの第２爪４４も、互いに径方向の反対側の位置にあり、周面４ｂの上端側に配されている。これら第１爪４３および第２爪４４は、周面４ｂから出没可能に構成されている。なお、図２には、周面４ｂから出状態の各第１爪４３および各第２爪４４が示されている。
【００１９】
器具本体５の前面５ｂには、２つのソケット５１と、各ソケット５１に接続された配線５２と、安定器５３とが設置されている。配線５２の先端には、アダプタ４の接続端子４２に挿入される接続コネクタ５２ａが設けられている。各ソケット５１に、蛍光ランプ６の口金６１が取付けられる。また、器具本体５の中央部には、アダプタ４を挿通する貫通孔５ａが形成されており、器具本体５が、貫通孔５ａを通じてアダプタ４に対して着脱自在に構成されている。この器具本体５をアダプタ４に取付けたときには、アダプタ４が器具本体５の背面から突出した状態となる。
【００２０】
カバー７は、透光性を有し、下方に向かって膨らむドーム状に形成されている。カバー７の外径は、器具本体５の外径よりも大きく、そのため、カバー７が取付けられたときには、器具本体５全体がカバー７により覆い隠される。また、カバー７には、蛍光ランプ６から出射された光のムラを抑制するための光拡散処理が施されている。なお、本実施形態ではカバー７を用いているが、使用しなくても本発明の効果は得ることができる。
【００２１】
蛍光ランプ６は、ランプを構成する発光管が一平面内で仮想軸の廻りを旋回するように形成されてなる、所謂、渦巻形蛍光ランプであり、従来の環形蛍光ランプよりも、ランプの最大外径が約１０％小型化されている。これにより、蛍光ランプ６が取付けられる直付け照明器具２も、ランプが小さくなる分、環形蛍光ランプが取付けられる従来の直付け照明器具と比べて、１０％程度小型化されている。
【００２２】
化粧板３は、円形の薄板からなり、その中央部にアダプタ４を挿通する貫通孔３ａが形成されている。化粧板３は、貫通孔３ａを通じてアダプタ４に対して挿抜自在であり、これにより、アダプタ４に対して着脱自在である。化粧板３の外径はカバー７の外径よりも大きく、化粧板３を直付け照明器具２に取付けたときには、化粧板３の外縁３ｂがカバー７の外縁７ａ（直付け照明器具２の外縁に相当）よりも外側に位置するように形成されている。これにより、化粧板３をアダプタ４に取付けた状態において、天井面９０における直付け照明器具２の周辺領域を化粧板３によって覆い隠すことができる。
【００２３】
次に、貫通孔３ａの大きさについて、図３を用いて説明する。
図３は、化粧板３とアダプタ４の模式平面図であり、アダプタ４の第２爪４４を現すため、第１爪４３が省略されている。図３に示すように、貫通孔３ａの孔径Ｈ１は、出状態の２つの第２爪４４の爪先をアダプタ４の周方向に結んで形成される仮想円Ｃ１の直径Ｄ１よりも小さく、没状態の２つの第２爪４４の爪先をアダプタ４の周方向に結んで形成される仮想円Ｃ２の直径Ｄ２よりも大きい。なお、第１爪４３も、第２爪４４と同様に構成されており、２つの第１爪４３の爪先をアダプタ４の周方向に結んで形成される仮想円は、出状態のときには仮想円Ｃ１と、没状態のときには仮想円Ｃ２と同等の大きさである。これらより、各第１爪４３および各第２爪４４の没状態において、化粧板３を貫通孔３ａを通じてアダプタ４に挿通することができる。また、挿通後、各第２爪４４を出状態にすることにより、化粧板３を各第２爪４４で支えることができる。
【００２４】
化粧板３の厚さは、数ｍｍ程度である。これは、従来の一般的な直付け照明装置では、天井面との隙間の間隔が１０ｍｍ〜２０ｍｍ程度であり、化粧板３の厚さが数ｍｍ程度であれば、前記隙間間隔であっても化粧板３を配置することができるからである。また、化粧板３の色は、特に限定されるものではないが、天井面９０や直付け照明器具２の色を考慮して、適宜選択するのが好ましい。
【００２５】
このような化粧板３は、例えば、アルミなどの金属、樹脂または木材などを用いて作製することができる。
＜取付け構造＞
次に、アダプタ４と、化粧板３および器具本体５との取付け構造について説明する。
図４（ａ）は、アダプタ４と、化粧板３および器具本体５との取付け構造の要部を示す模式断面図である。
【００２６】
図４（ａ）に示すように、第２爪４４は、アダプタ４内の空間４６内に配された可動部材４８の一端に設けられている。可動部材４８は、空間４６内において径方向にスライド可能であり、第２爪４４側とは反対側からコイルバネ４９により付勢されている。これにより、第２爪４４が空間４６の周面４ｂ側の開口部から飛び出した出状態とされている。
可動部材４８の第２爪４４側とは反対側の端部に、第２レバー４８ａが設けられている。この第２レバー４８ａと第２爪４４とは連動するので、第２レバー４８ａをアダプタ４の径方向内側に移動させることにより第２爪４４を周面４ｂの内側に没入させた没状態にすることができる。
【００２７】
第２爪４４は、爪先にいくにつれて肉厚が薄くなる先細り形状からなる。また、第２爪４４の器具本体５側の面は、爪先にいくにつれて器具本体５の背面５ｃから離れるように傾斜する傾斜面４４ａである。化粧板３の貫通孔３ａをアダプタ４に挿通する際、化粧板３の貫通孔３ａ近傍の内周部３１を第２爪４４に傾斜面４４ａ側から押し当てると、押し当てた力の一部を、傾斜面４４ａによってアダプタ４の径方向内向きの力に変換することができるので、コイルバネ４９の付勢力に抗して第２爪４４をアダプタ４の内側に没入させることができる。このように第２レバー４８ａを使わなくても第２爪４４を没状態にできるので、化粧板３の取付けが簡単に行える。化粧板３を取り外すときには、第２レバー４８ａを用いて第２爪４４を没状態にすることにより、化粧板３をアダプタ４から抜き取ることができる。
【００２８】
化粧板３の内周部３１には、貫通孔３ａに沿って形成された環状リング部３２が設けられている。環状リング部３２には凹部３２ｂが形成されており、この凹部３２ｂに、コイルバネ４９により付勢された第２爪４４が嵌め込まれている。図４（ｂ）は、化粧板３の内周部３１および環状リング部３２を示す断面図である。
図４（ｂ）に示すように、凹部３２ｂは、環状リング部３２の内周面３２ａを周方向に沿って凹ませてなる環状凹部であり、第２爪４４の形状に適合する形状を有している。また、凹部３２ｂの底Ａで形成される円の直径は、仮想円Ｃ１の直径Ｄ１（図３参照）よりも小さくなるように形成されている。このため、第２爪４４は、凹部３２ｂに嵌め込まれた状態においても、コイルバネ４９により常に付勢されているので、第２爪４４が化粧板４を支えるだけでなく、化粧板３がアダプタ４に対して傾いたり、位置ずれが生じるのを抑制することができる。これにより、化粧板３とアダプタ４との取付け状態が安定する。
【００２９】
また、内周部３１では、内周面３１ａと背面３ｃとの間の角部が面取りされている。この内周部３１の面取りされた部分３１ｂが、貫通孔３ａをアダプタ４に挿通するときのガイドとなるので、角部を残した場合と比べて、アダプタ４に対する貫通孔３ａの挿通がスムーズに行える。
第１爪４３は、第２爪４４と基本的な構成は同じであり、また、器具本体５の内周部５４および環状リング部５５（図４（ｃ）参照）も、化粧板３の内周部３１および環状リング部３２と基本的な構成は同じであるので、これらの説明を省略する。
＜化粧板の取付け効果＞
上記構成の照明装置１によれば、化粧板３を直付け照明器具２に取付けた状態において、化粧板３の外縁３ｂがカバー７の外縁７ａよりも外側にあり、化粧板３が直付け照明器具２よりも外側に拡がっているので、天井面９０の直付け照明器具２の周辺領域を化粧板３により覆うことができる。このため、例えば、既設の直付け照明器具に代えて直付け照明器具２を取付けた場合、照明器具が小さくなる分だけ、日焼けしていない領域が露出するが、化粧板３を取付けることによって日焼けしていない領域の少なくとも一部を覆い隠すことができる。これにより、天井面の日焼け痕が目立つのを抑制する効果が得られる。
【００３０】
この効果について、図５（ａ）〜（ｄ）を用いて、詳しく説明する。
図５（ａ）には、既設の直付け照明器具を取り外した状態の天井面９０が示されている。また、天井面９０において、日焼けした領域が９０ａで、既設の直付け照明器具に覆われていて日焼けしていない領域が９０ｂで示されている。なお、図５（ｂ）〜（ｄ）では、日焼けしていない領域９０ｂを分かり易くするため、直付け照明器具２および化粧板３にドットを付している。
【００３１】
図５（ｂ）に示すように、天井面９０に、既設の直付け照明器具よりも小型の直付け照明器具２だけを取付けた場合、照明器具が小さくなる分だけ、日焼けしていない領域９０ｂが露出してしまう。
一方、図５（ｃ）に示すように、直付け照明器具２に化粧板３を取付けた場合には、化粧板３が、直付け照明器具２の周辺の日焼けしていない領域９０ｂを覆い隠すので、天井面９０において、日焼け痕が目立つのを抑制することができる。
【００３２】
なお、図５（ｄ）に示すように、化粧板３Ｓが、直付け照明器具２の周辺の日焼けしていない領域９０ｂ全体を覆い隠すことができなかったとしても、日焼けしていない領域９０ｂの露出面積を小さくすることができるので、図５（ｂ）に示す直付け照明器具２だけの場合と比べて、日焼け痕が目立つのを抑制することができる。
このように日焼け痕が目立つのを抑制できるのは、日焼けしていない領域９０ｂの露出面積を小さくすることにより、色の面積効果が得られることによる。色の面積効果とは、同じ色でも、大きな面積と小さな面積とでは色の見え方が異なる効果のことをいい、例えば、小さな面積では、大きな面積の場合に比べて色の明度や彩度が低く感じられる。したがって、日焼けしていない領域９０ｂの露出面積を小さくできれば、見た目上の明度や彩度を低くすることができるので、結果的に、日焼けした領域９０ａと日焼けしていない領域９０ｂとのコントラストが下がり、日焼け痕が目立つのを抑制できるのである。
【００３３】
なお、新築の建物の天井面に照明装置１を取付けるときなど、日焼け痕がない場合または既設と取り換えた場合でも日焼け痕が目立たない場合には、化粧板３を取付けずに直付け照明器具２だけを天井面に取付けることができる。これにより、直付け照明器具２が、環形蛍光ランプが取付けられた従来の直付け照明器具と比べて、小型であって、手で持ち易くかつ取り扱い易くなるので、取り付け、取り外し作業が容易になる。
＜取付方法＞
次に、本実施形態に係る照明装置１の取付方法の一例について説明する。
【００３４】
ここでは、アダプタ４に対して化粧板３および器具本体５を取付ける工程を詳細に説明し、他の工程についてはその説明を省略するか簡略するに留める。
先ず、アダプタ４の各栓刃４１を引掛けシーリング９１の栓刃挿入口９１ａに挿入して（図２参照）、アダプタ４を引掛けシーリング９１に取付ける（第１の工程）。
第１の工程の後、引掛けシーリング９１に取付けられたアダプタ４に、貫通孔３ａを挿通させることにより化粧板３を取付ける（第２の工程）。このとき、出状態の第１爪４３および第２爪４４に対して、化粧板３の内周部３１を順次押し当てることにより、第１爪４３および第２爪４４をアダプタ４の内側に一時的に順次没入させることができる。よって、図６（ａ）に示すように、作業者は、予め第１爪４３および第２爪４４を没状態にしておかなくてもよく、両手で化粧板３を持って、貫通孔３ａをアダプタ４に押し込むようにして挿通することができる。そして、アダプタ４に挿通した化粧板３を、アダプタ４の天井面９０側へ、環状リング部３２の凹部３２ｂと２つの第２爪４４とが対向する位置まで挿通する。これにより、コイルバネ４９により付勢された各第２爪４４が、アダプタ４の内側から飛び出して凹部３２ｂに嵌り込むので、化粧板３が、出状態の各第２爪４４で支えられる。このようにして化粧板３をアダプタ４に取付けることができる。
【００３５】
第２の工程の後、化粧板３が取付けられたアダプタ４に、貫通孔５ａを挿通させることにより器具本体５を取付ける（第３の工程）。この第３の工程においても、図６（ｂ）に示すように、作業者は、予め第１爪４３を没状態にしておかなくてもよく、両手で器具本体５を持って、貫通孔５ａをアダプタ４に押し込むようにして挿通することができる。第３の工程は、第２の工程と基本的な構成が同じであるので、その説明を省略する。
【００３６】
この後、器具本体５に、蛍光ランプ６を取付け、さらにカバー７を取付ける。
以上の工程を経て、照明装置１が天井面９０に取付けられる。
上記構成の照明装置の取付方法によれば、貫通孔３ａを通じてアダプタ４に挿通した化粧板３を、アダプタ４の２つの第２爪４４で支えるようにして取付けることができるので、例えば、直付け照明器具２の周辺領域を覆う化粧板を、天井面９０に直接接着剤や釘などで取付ける場合と比べて、作業工数が少なく、取付け作業が容易に行える。
［第２の実施形態］
次に、本発明の第２の実施形態に係る照明装置１１０について、図７乃至図９を用いて説明する。
【００３７】
図７は、照明装置１１０の構成を示す分解斜視図である。図８は、照明装置１１０の有する器具本体１５０の背面１５０ｃ側の構成を示す斜視図である。
本実施形態の照明装置１１０は、直付け照明器具に着脱自在な化粧板１３０を有する点で、第１の実施形態の照明装置１と共通している。ここでの直付け照明器具は、樽形のアダプタ１４０と、矩形状の器具本体１５０およびカバー１７０とで構成されている。一方、第１の実施形態では、化粧板３が、アダプタ４に取付けられるのに対し、本実施形態では、化粧板１３０が器具本体１５０に取付けられる点で異なっている。なお、図１乃至図４に示す照明装置１と同じ構成要素については、簡単のため、同じ符号で示し、その説明を省略する。
【００３８】
図８に示すように、器具本体１５０の背面１５０ｃには、化粧板１３０を載せる２つの台１５１が並列に配設されている。器具本体１５０の中央部には、アダプタ１４０を挿通する貫通孔１５０ａが形成されている。
図７に示すように、化粧板１３０は、矩形の薄板からなり、その中央部にアダプタ１４０を挿通する貫通孔１３０ａが形成されている。また、化粧板１３０の外形寸法は、カバー１７０の外形寸法よりも大きく、化粧板１３０を器具本体１５０に取付けた状態において、化粧板１３０の外縁１３０ｂが器具本体１５０の外縁１５０ｂ（直付け照明器具の外縁に相当）よりも外側に拡がるように形成されている。化粧板１３０の前面１３０ｃには、台１５１の上端部分の形状に適合する凹部１３０ｄが２つ形成されている。
【００３９】
アダプタ１４０には、器具本体１５０を取付ける２つの爪１４３が設けられている。
図９は、アダプタ１４０と、化粧板１３０および器具本体１５０との取付け構造の要部を示す模式断面図である。図９に示す取付け構造は、図４に示す取付け構造と基本的に同じであるので、簡単のため、その説明を省略する。
図９に示すように、化粧板１３０の各凹部１３０ｄに、台１５１の上端部がそれぞれ嵌め込まれている。このように各凹部１３０ｄに台１５１の上端部を嵌め込むことによって、化粧板１３０の位置決めができるとともに、化粧板１３０と器具本体１５０との取付け状態が安定する。
【００４０】
本実施形態における照明装置１１０の取付けでは、先に化粧板１３０を器具本体１５０に取付け、その後、器具本体１５０をアダプタ１４０に取付けることにより行う。
上記構成の照明装置１１０では、化粧板１３０を載せる２つの台１５１が出没しないので、第２爪４４がアダプタ４の周面４ｂから出没する第１の実施形態と比べて、構造が簡易であり、製造が容易になるという利点を有している。また、照明装置１１０の化粧板１３０においても、第１の実施形態の化粧板３を取付けたときに得られる効果と同等の効果が得られる。
［第３の実施形態］
次に、本発明の第３の実施形態に係る照明装置２１０について、図１０を用いて説明する。
【００４１】
図１０（ａ）は、照明装置２１０の有する化粧板２３０を示す斜視図であり、図１０（ｂ）は、照明装置２１０の構成を示す一部断面を含む側面図である。
本実施形態の照明装置２１０は、直付け照明器具２と、直付け照明器具２のアダプタ４に着脱自在な化粧板２３０とを有する点で、第１の実施形態の照明装置１と共通している。一方、第１の実施形態では、化粧板３が平板状であるのに対し、本実施形態では、化粧板２３０が湾曲した皿バネ状であり、化粧板２３０がアダプタ４に取付けられた状態において弾性変形することにより、化粧板２３０の外縁２３２ａが天井面９０に密着する点で異なっている。なお、図１乃至図４に示す照明装置１と同じ構成要素については、簡単のため、同じ符号で示し、その説明を省略する。
【００４２】
図１０（ａ）に示すように、化粧板２３０は、円形の中心部２３１（二点鎖線よりも内側部分）と、中心部２３１から延設された環状の湾曲部２３２（二点鎖線よりも外側部分）とを有している。この中心部２３１に、アダプタ４を挿通する貫通孔２３０ａが形成されている。化粧板２３０の非変形時における高さｈ１は、図１０（ｂ）に示す、アダプタ４の器具本体５の背面５ｃからの突出高さｈ２よりも高く、かつ、第２爪４４と天井面９０との間の間隔ｇ１よりも大きい寸法に設定されている。
【００４３】
この化粧板２３０をアダプタ４に取付けたときには、化粧板２３０が、アダプタ４の各第２爪４４と天井面９０との間で挟まれて、高さ方向に弾性変形する。これにより、湾曲部２３２の外縁２３２ａを天井面９０に密着させることができるので、化粧板２３０と天井面９０との間に隙間が生じる場合と比べて、前記隙間から埃等が侵入するのを防止することができるとともに外観上好ましい。また、照明装置２１０の化粧板２３０においても、第１の実施形態の化粧板３を取付けたときに得られる効果と同等の効果が得られる。
［第４の実施形態］
次に、本発明の第４の実施形態に係る照明装置３１０について、図１１を用いて説明する。図１１（ａ）は、照明装置３１０の構成を示す側面図であり、図１１（ｂ）は、照明装置３１０の有する器具本体１５０に設けられた板バネ１５２の斜視図である。
【００４４】
本実施形態の照明装置３１０は、アダプタ１４０、器具本体１５０およびカバー１７０で構成される直付け照明器具と、器具本体１５０に着脱自在な化粧板３３０とを有する点で、第２の実施形態の照明装置１１０と共通している。一方、第２の実施形態では、化粧板１３０が、器具本体１５０の背面１５０ｃに設けられた台１５１に取付けられるだけであるのに対し、本実施形態では、化粧板３３０が器具本体１５０の背面１５０ｃに設けられた２つの板バネ１５２に取付けられるとともに、各板バネ１５２に付勢されることにより化粧板３３０が天井面９０に密着する点で異なっている。なお、図７乃至図９に示す照明装置１１０と同じ構成要素については、簡単のため、同じ符号で示し、その説明を省略する。
【００４５】
図１１（ａ）および（ｂ）に示すように、板バネ１５２は、金属製の半円筒状部材からなり、周方向の両端部が背面１５０ｃに設置されている。板バネ１５２には、その頂部に沿って形成された直線状の凸部１５２ａが設けられている。板バネ１５２の非変形時における高さｈ３は、アダプタ１４０の器具本体１５０の背面１５０ｃからの突出高さよりも高く、かつ、背面１５０ｃと天井面９０との間隔から化粧板２３０の厚さを引いた間隔ｇ２よりも大きい寸法に設定されている。
【００４６】
化粧板３３０は、矩形の薄板からなり、その中央部にアダプタ１４０が挿通される貫通孔が形成されている。また、化粧板３３０の前面３３０ｂには、板バネ１５２の凸部１５２ａの形状に適合する直線状の凹部が２つ形成されており、前記各凹部に板バネ１５２の凸部１５２ａが嵌め込まれている。このように化粧板３３０の各凹部に板バネ１５２の凸部１５２ａを嵌め込むことにより、化粧板３３０の位置決めができるとともに、化粧板３３０と器具本体１５０との取付け状態が安定する。
【００４７】
各板バネ１５２上に化粧板３３０を載せて、器具本体１５０をアダプタ１４０に取付けたときには、各板バネ１５２が、天井面９０に当接された化粧板３３０と背面１５０ｃとの間に挟まれて弾性変形するので、化粧板３３０が、弾性変形した各板バネ１５２の復元力によって付勢されて天井面９０に密着するのである。これにより、化粧板３３０と天井面９０との間に隙間が生じる場合と比べて、前記隙間に埃等が溜まるのを防止できるとともに外観上好ましい。また、照明装置３１０の化粧板３３０においても、第１の実施形態の化粧板３を取付けたときに得られる効果と同等の効果が得られる。
【００４８】
以上、本発明に係る照明装置について、実施形態に基づいて説明したが、本発明はこれらの実施形態に限られない。
［変形例］
例えば、以下のような変形例が考えられる。
（１）化粧板の形状は、円形または矩形に限定するものではない。照明器具の仕様に合わせて、適宜選択することができる。
（２）化粧板の貫通孔の形状は、円形に限定するものではない。照明器具の仕様に合わせて、適宜選択することができる。例えば、第１および第３の実施形態のように化粧板をアダプタに取付ける構成において、アダプタが平面視で矩形状の場合、貫通孔を矩形にするのが好ましい。このように貫通孔の形状をアダプタの形状に合わせることにより、貫通孔をアダプタに挿通し易くなるので、化粧板が取付け易くなる。
（３）化粧板の貫通孔の大きさは、アダプタを挿通できる大きさであって、好ましくは、直付け照明器具の周辺領域を覆う観点より、化粧板が直付け照明器具に取付けられた状態において、貫通孔の内周部が直付け照明器具の外縁よりも内側に配される大きさがよい。
（４）また、化粧板がたわむのを防止するため、例えば、図１２乃至図１５に示すように、化粧板にリブを設けた構成とするのが好適である。
【００４９】
図１２に示す化粧板６１０には、外周部６１１の肉厚を他の部分よりも厚くすることにより形成された環状のリブＲ１が設けられている。このようにして外周部６１１の強度を高めることにより、化粧板がたわむのを防止している。図１３に示す化粧板６２０には、外周部６２１に環状の枠体からなるリブＲ２が取付けられている。化粧板６２０においても、図１２の化粧板６１０と同等の効果を得ることができる。
【００５０】
また、図１４に示す化粧板６３０には、貫通孔６３０ａを中心として放射状に４枚の長板状のリブＲ３が配設されている。これにより、半径方向外側に向かうにつれて化粧板がたわむのを防止している。図１５に示す化粧板６４０には、貫通孔６４０ａを中心として放射状に、４本のＶ字状のリブＲ４が配設されている。化粧板６４０においても、図１４の化粧板６３０と同等の効果を得ることができる。
【００５１】
化粧板に設けるリブの構成は、上記構成に限定するものではない。例えば、図１２または図１３に示す環状のリブと、図１４または図１５に示す放射状のリブとを組み合わせることもできる。
このようにして化粧板がたわむのを防止することにより、化粧板の外観が損なわれるのを防止することができる。
（５）第１の実施形態では、化粧板３に、第２爪４４を嵌め込む環状の凹部３２ｂが設けられた構成を示したが、凹部の形状は、これに限定されるものではない。例えば、各第２爪４４に対応して凹部が個々に設けられた構成であってもよく、その形状、数および配置等を適宜選択することができる。また、化粧板に第２爪４４を嵌め込む凹部を設けない構成することもできる。この場合には、図１６に示すように、化粧板５３０を出状態の各第２爪４４上に載せることによりアダプタ４に取付けることができる。
（６）第１の実施形態では、アダプタ４に、先細り形状の第２爪４４が２つ設けられた構成を示したが、第２爪の数、形状および配置は、化粧板およびアダプタの仕様等に応じて適宜選択することができる。
（７）また、アダプタ４の周面４ｂから出没する第２爪４４に代えて、アダプタの周面から突出した１以上の凸部を設けた構成としてもよい。例えば、凸部がアダプタの周面に沿って突出するリング状でもよい。このような凸部がアダプタに対して出没しない構成の場合には、アダプタに貫通孔を挿通して化粧板を凸部に載せてから、アダプタを引掛けシーリングに取付けることができる。また、アダプタの周面から径方向に突出する２つの凸部でもよい。この場合には、化粧板の貫通孔を長孔形状にすることにより、長孔の長径方向と凸部の突出方向との向きを合わせた状態でアダプタに貫通孔を挿通し、挿通後、長孔の短径方向と凸部の突出方向との向きを合わせるように貫通孔を回転させて、２つの凸部上に化粧板を載せて取付けることができる。
（８）第１の実施形態では、アダプタ４内に、第２爪４４を付勢するコイルバネ４９が設けられた構成を示したが、第２爪４４を付勢するバネ部材をコイルバネに限定するものではない。例えば、板バネなどを用いることもできる。
（９）また、アダプタ４内に、第２爪４４を付勢するバネ部材を設けない構成とすることもできる。この場合には、第２レバー４８ａを、アダプタ４の径方向外側に移動させることにより第２爪４４を出状態にでき、径方向内側に移動させることにより第２爪４４を没状態にすることができる。
（１０）第２の実施形態では、器具本体１５０の背面１５０ｃに２つの台１５１が並列に配設された構成を示したが、これに限定するものではなく、例えば、器具本体の貫通孔の周りを囲う環状の台を設けた構成としてもよい。台の数、形状および配置は、化粧板および器具本体の仕様等に応じて、適宜選択することができる。
（１１）第３の実施形態における皿バネ状の化粧板２３０に替えて、図１７に示すように、貫通孔４３０ａから放射状に複数のスリット４３１が形成された皿バネ状の化粧板４３０を用いることもできる。
（１２）第４の実施形態では、器具本体１５０の背面１５０ｃに半円筒状の板バネ１５２が設けられた構成を示したが、化粧板を天井面側に付勢する弾性部材は、化粧板および器具本体の仕様等に応じて適宜選択することができる。例えば、コイルバネなどを用いることもできる。
（１３）また、化粧板の前面に、光反射面が形成された構成としてもよい。
（１４）上記実施形態では、アダプタが、円筒状の樽形の構成を示したが、これに限定するものではない。例えば、アダプタが、直方体または多角体であってもよい。
（１５）上記実施形態では、照明装置が、天井面に設けられた引掛けシーリングに取付けられる構成を示したが、引掛けシーリングに限らず、引掛埋込ローゼットなどの固定器具に取付けられる構成とすることもできる。
（１６）上記実施形態では、照明装置を天井面に取付ける場合について説明したが、これに限らず、直付け照明器具を壁面に取付ける場合でも上記と同等の作用効果を得ることができる。なお、直付け照明器具を壁面に取付けた場合には、第１の実施形態における第２爪４４、または第２の実施形態における台１５１などにより、化粧板が傾かないように支えられる。
（１７）また、上記実施形態では、化粧板が、第２爪４４、台１５１または板バネ１５２などに支えられた構成を示したが、これに限定するものではなく、例えば、化粧板の貫通孔にアダプタを挿通して、化粧板を器具本体の背面に載せる構成としてもよい。
（１８）リモコン付きの直付け照明器具の場合、リモコンからの信号を受信するリモコン受信部を化粧板に取付けてもよい。一般的に、リモコン受信部は、器具本体に取付けられて、蛍光ランプと同じようにカバーで覆われているのに対して、リモコン受信部を化粧板に取付けることにより、リモコン受信部がカバーに覆われなくなるので、受信感度を高めることができる。
【産業上の利用可能性】
【００５２】
本発明は、天井面や壁面の取付面に取付けられる直付け照明器具を備えた照明装置、およびこれに用いられる化粧板に広く利用することができる。
【符号の説明】
【００５３】
１    照明装置
２    直付け照明器具
３    化粧板
３ａ  貫通孔
３ｂ  外縁
４    アダプタ
５    器具本体（装着部）
５ａ  貫通孔
５ｂ  前面
５ｃ  背面
６    蛍光ランプ
７    カバー
７ｂ  外縁
１５    器具本体（装着部）
３１    内周部
３２    環状リング部
３２ａ  内周面
３２ｂ  凹部
４３    第１爪
４３ａ  傾斜面
４４    第２爪
４４ａ  傾斜面
４７    第１可動部材
４８    第２可動部材
４９    コイルバネ
９０    天井面
９０ａ  日焼けした領域
９０ｂ  日焼けしていない領域
９１    引掛けシーリング（固定器具）
１１０，２１０，３１０    照明装置
１３０，２３０，３３０    化粧板
１３０ｃ  凹部
１５０    器具本体（装着部）
１５１    台
１５２    板バネ
【図１】
2011171146.tif 000003
【図２】
2011171146.tif 000004
【図３】
2011171146.tif 000005
【図４】
2011171146.tif 000006
【図５】
2011171146.tif 000007
【図６】
2011171146.tif 000008
【図７】
2011171146.tif 000009
【図８】
2011171146.tif 000010
【図９】
2011171146.tif 000011
【図１０】
2011171146.tif 000012
【図１１】
2011171146.tif 000013
【図１２】
2011171146.tif 000014
【図１３】
2011171146.tif 000015
【図１４】
2011171146.tif 000016
【図１５】
2011171146.tif 000017
【図１６】
2011171146.tif 000018
【図１７】
2011171146.tif 000019